(57)【要約】【課題】光ケーブルのスロットロッドに形成されたスロットの誤認をなくすことができ、且つ、既設の光ケーブルに対応することが可能な光ケーブル用識別表示具を提供する。【解決手段】光ファイバを収納する多数のスロット４がリブ５により区画されて周方向に複数形成されているスロットロッド３に長尺薄部材１１で構成された識別表示具１を付設する。この長尺薄部材１１には、各スロット４に収容される心線の通し番号を付した心線番号表示部１２が、対応するスロットの順序で該スロットのピッチに合わせて配列表記されている。この長尺薄部材１１をスロットロッド３の外周に沿わせて各心線番号表示部１２を対応するスロット４に重ねるように巻設する。【選択図】図１
2010014953.tif 000002
【特許請求の範囲】
【請求項１】
光ファイバを収納する多数のスロットがリブにより区画されて周方向に複数形成されているスロットロッドに付設される光ケーブル用識別表示具であって、
各スロットに収容される心線の通し番号を付した心線番号表示部が対応する前記スロットの順序で該スロットのピッチに合わせて配列表記された長尺薄部材を備え、この長尺薄部材を前記スロットロッドの外周に沿わせてそれぞれの前記心線番号表示部を対応するスロットに重ねるように巻設することを特徴とする光ケーブル用識別表示具。
【請求項２】
前記長尺薄部材は、前記スロットロッドの外周に貼着するシール材で構成されることを特徴とする請求項１記載の光ケーブル用識別表示具。
【請求項３】
前記長尺薄部材は、自身を収容する収容ケースに対して出し入れ自在な伸縮式であり、先端部に前記スロット間に係止可能なフック部を有していることを特徴とする請求項１記載の光ケーブル用識別表示具。
【請求項４】
前記長尺薄部材には、巻設方向に沿って設けられた切れ目を境にその両側において異なるピッチの心線番号表示部が配列表記されていることを特徴とする請求項１記載の光ケーブル用識別表示具。
【請求項５】
前記長尺薄部材には、前記スロット間に挿入可能な突起が設けられていることを特徴とする請求項１記載の光ケーブル用識別表示具。
【請求項６】
前記長尺薄部材は、透明の素材からなり、前記スロットロッドのリブに表記されたトレーサマークと同様のトレーサマークが、１番スロットに対応する心線番号表示部の両脇に表記されていることを特徴する請求項１記載の光ケーブル用識別表示具。
【発明の詳細な説明】
【技術分野】
【０００１】
本発明は、光ケーブルのスロットロッドに形成されるスロット及びこれに収容される素線を識別するために用いられる識別表示具に関する。
【背景技術】
【０００２】
スロット型光ケーブルは、図８に示されるように、押し出し成型により成形されたスロットロッド３に複数の螺旋状のスロット４をリブ５により区画して周方向に複数形成し、このスロット４内に、多数本の光ファイバをテープ化して、又は、単心のままで収容し、スロットロッド３の外周面に防水性のテープ等を巻いて押え巻７を形成し、その外周を外被８で被覆するようにしている。
【０００３】
一般的に、このような光ケーブル２のスロットロッド３は、ある１つのスロットを画成する両側のリブ５ａ，５ｂのうち、一方のリブ５ａの外周面に１本の線状トレーサマーク１０ａを施し、また、他方のリブ５ｂの外周面に２本の線状トレーサマーク１０ｂを施し、これら線状トレーサマーク１０ａ、１０ｂが施された２つのリブ５ａ，５ｂ間のスロットを１番スロットとし、この１番スロットを基準に２本の線状トレーサマーク１０ｂが付されたリブ側において隣接するスロットを２番スロットとし、さらにその隣のスロットを順次、３番スロット、４番スロットとしている（特許文献１参照）。
【０００４】
そして、例えば、多数本の光ファイバをテープ化したテープ心線をスロットに収容する構成においては、光ファイバの素線数が４０心又は８０心の支線用光ケーブルである場合、スロット数が５つであるスロットロッドを用い、１スロット当たりに４心テープを５枚重ね合わせて合計２０心を収容するようにし、これを第１スロットから順次収容していく。すなわち、素線数が４０心の光ケーブルにおいては、第１スロットと第２スロットにテープ心線を５枚ずつ収容し、素線数が８０心の光ケーブルにおいては、第１スロットから第４スロットまでテープ心線を５枚ずつ収容する。
【０００５】
また、光ファイバの素線数が１２０心又は１６０心の支線用光ケーブルにおいては、スロット数が１０ケのスロットロッドを用い、１スロット当たりに４心テープを５枚重ね合わせて合計２０心を収容するようにし、これを第１スロットから順次収容していく。すなわち、素線数が１２０心の光ケーブルにおいては、第１スロットから第６スロットにかけてテープ心線を５枚ずつ収容し、素線数が１６０心の光ケーブルにおいては、第１スロットから第８スロットにかけてテープ心線を５枚ずつ収容する。
【０００６】
以上のような構成においては、スロットロッドのリブに付された線状トレーサマークに基づき、１番スロットとこれに続く後続のスロットを順次把握するようにしているが、スロット番号が大きくなると、数え間違いが発生し、作業対象でないスロットを誤って切断してしまう可能性がある。
【０００７】
この点、従来においては、素線を識別する煩雑さや手間を改善するために、各スロットについてのスロット番号、スロット内に収容されるテープ心線の番号、各テープ心線に含まれる各心線の情報を一覧形式によって表示した識別表示物を作成したり、光ファイバ素線に長さやピッチの異なる複数の棒線を印刷することで各光ファイバ素線を識別すること等が考えられている。
【特許文献１】特開２００２−３４１２０２号公報
【特許文献２】特開２００８−７６７６０号公報
【特許文献３】特開平１０−２４６８４３号公報
【発明の開示】
【発明が解決しようとする課題】
【０００８】
しかしながら、心線番号の一覧表を作成し、ケーブルと対比してスロットを識別する構成においては、スロット数を数える段階で間違える可能性が大きく、また、光ファイバ素線自体に識別符号を印刷する構成においては、新規に光ファイバ素線を購入しなければならず、既存の光ケーブルに対応できない不都合がある。
【０００９】
本発明は、係る事情に鑑みてなされたものであり、光ケーブルのスロットロッドに形成されたスロットの誤認をなくすことができ、且つ、既設の光ケーブルに対応することが可能な光ケーブル用識別表示具を提供することを主たる課題としている。
【課題を解決するための手段】
【００１０】
上記課題を達成するために、本発明に係る光ケーブル用識別表示具は、光ファイバを収納する多数のスロットがリブにより区画されて周方向に複数形成されているスロットロッドに付設される識別表示具であって、各スロットに収容される心線の通し番号を付した心線番号表示部が対応する前記スロットの順序で該スロットのピッチに合わせて配列表記された長尺薄部材を備え、この長尺薄部材を前記スロットロッドの外周に沿わせてそれぞれの前記心線番号表示部を対応するスロットに重ねるように巻設することを特徴としている。
【００１１】
したがって、スロットロッドに巻設される長尺薄部材には、スロットのピッチに合わせた心線番号表示部が配列表記されており、この長尺薄部材がそれぞれの心線番号表示部を対応するスロットに重ね合わせるようにスロットロッドの外周に付設されるので、光ケーブルのスロットを特定しようとする作業者は、この心線番号表示部に表示された心線番号から該当する心線番号表示部を特定すれば、その心線番号表示部が重ね付けられているスロットが特定しようとするスロットであるので、スロットの特定を誤ることがなくなる。
【００１２】
ここで、長尺薄部材は、スロットロッドの外周に貼着するシール材で構成するようにしても、自身を収容する収容ケースに対して出し入れ自在な伸縮式に構成し、先端部に前記スロット間に係止可能なフック部を有して構成するようにしてもよい。
【００１３】
また、長尺薄部材は、多種の光ケーブルに対応できるようにするために、巻設方向に沿って設けられた切れ目を境にその両側において異なるピッチの心線番号表示部を配列表記するようにしてもよい。
【００１４】
さらに、巻設された長尺薄部材がスロットロッドの周方向でずれないようにするために、長尺薄部材に、スロット間に挿入可能な突起を設けるようにしてもよい。
【００１５】
さらにまた、長尺薄部材のスロットロッドへの取り付けを間違いなく行えるようにするために、長尺薄部材を透明の素材で構成し、前記スロットロッドのリブに表記されたトレーサマークと同様のトレーサマークを、１番スロットに対応する心線番号表示部の両脇に表記させるようにしてもよい。
【発明の効果】
【００１６】
以上述べたように、本発明に係る光ケーブル用識別表示具を、スロットロッドに巻設される長尺薄部材で構成し、この長尺薄部材に、スロットに収容される心線の通し番号を付した心線番号表示部を対応するスロットの順序で該スロットのピッチに合わせて配列表記し、この長尺薄部材をスロットロッドの外周に沿わせて、例えば、貼着により、又は、スロット間にフック部を係止させて巻設することで、各心線番号表示部が対応するスロットに重なるようにスロットロッドの外周に付着させるようにしたので、スロットの数え間違えによる誤認がなくなり、作業対象でないスロットを誤って切断する恐れがなくなる。また、スロット数を数える作業が不要となるので、作業者の技術レベルに関係なく確実に作業対象のスロットを特定することが可能となる。
【００１７】
特に、長尺薄部材を、巻設方向に沿って設けられた切れ目を境にその両側において異なるピッチの心線番号表示部を配列表記する構成とすれば、１つの識別表示具をもって多種の光ケーブルに対応することが可能となる。
また、長尺薄部材に、スロット間に挿入可能な突起を設ける構成とすれば、巻設された長尺薄部材がスロットロッドの周方向でずれないように位置決めすることが可能となる。
【００１８】
さらにまた、長尺薄部材を透明の素材で構成し、スロットロッドのリブに表記されたトレーサマークと同様のトレーサマークを、１番スロットに対応する心線番号表示部の両脇に表記させる構成とすれば、長尺薄部材のスロットロッドへの取り付けを間違いなく行うことが可能となる。
【発明を実施するための最良の形態】
【００１９】
以下、この発明の実施形態について図面により説明する。
【００２０】
図１において、本発明に係る光ケーブル用識別表示具１を光ケーブル２のスロットロッド３の外周に巻き付けた状態が示されている。
光ケーブル２は、多数のスロット４がリブ５により区画されて周方向に複数形成されたスロットロッド３を有し、このスロットロッド３のスロット４に、例えば、多数本の光ファイバをテープ化した光ファイバテープ心線６を複数段に積層して収容し、その上でスロットロッド３の外周面に防水性のテープ等を巻いて押え巻７を形成し、更にその外周を外被８で被覆して構成されている。
【００２１】
スロットロッド３は、ポリエチレン等の合成樹脂を押出し成型して構成されるもので、中央に樹脂被覆９が施されたテンションメンバ１９が一体化されて配置され、周囲に前記リブ５によって区画された複数条のスロット４が螺旋状に形成されている。この例においては、１０条のスロット４が周方向に等ピッチで形成され、各スロット４に４本の光ファイバをテープ化した光ファイバテープ心線６が５本ずつ積層して収容されるようになっている。
【００２２】
また、特定のスロット４ａを画成する両側のリブ５の外周面には、スロット位置を識別する線条の線状トレーサマーク１０ａ，１０ｂが付されている。この線状トレーサマークは、それ自体周知のもので、スロット４の両側のリブ５のうち、一方のリブ５ａの外周面に１本の線状トレーサマーク１０ａを施し、また、他方のリブ５ｂの外周面に２本の線状トレーサマーク１０ｂを施し、これら線状トレーサマーク１０ａ，１０ｂが施された２つのリブ５ａ，５ｂで挟まれたスロットを１番スロットとし、この１番スロットを基準に２本の線状トレーサマークが付されたリブ側において隣接するスロットを２番スロットとし、さらにその隣のスロットを順次、３番スロット、４番スロットとして識別するものである。
【００２３】
以上の光ケーブル２において、外被８と押え巻７とを除去した状態においては、スロットロッド３の周囲に本発明に係る識別表示具１が巻設される。
【００２４】
この識別表示具１は、長尺薄部材１１を有して構成されているもので、この長尺薄部材１１には、各スロット４に収容される心線の通し番号を付した心線番号表示部１２が配列表記されている。それぞれの心線番号表示部１２は、対応するスロット４の順序に合わせて、且つ、スロットロッド３に形成されたスロット４のピッチに合わせて配列表記されている。また、これら心線番号表示部１２は、スロット４の延設方向に合わせて斜めに形成されている。  
【００２５】
たとえば、多数本の光ファイバをテープ化した光ファイバテープ心線をスロット４に収容する構成において、光ファイバの素線数が４０心又は８０心の支線用光ケーブルにおいては、スロット数が５つであるスロットロッドが用いられるが、この場合において、素線数が４０心の光ケーブルの場合であれば、図２（ａ）に示されるように、第１スロットに対応する心線番号表示部には心線の通し番号である“１〜２０”が付され、第２スロットに対応する心線番号表示部には“２１〜４０”が付される。また、素線数が８０心の光ケーブルの場合であれば、図２（ｂ）に示されるように、第１スロットに対応する心線番号表示部には心線の通し番号である“１〜２０”が付され、第２スロットに対応する心線番号表示部には“２１〜４０”が付され、第３スロットに対応する心線番号表示部には“４１〜６０”が付され、第４スロットに対応する心線番号表示部には“６１〜８０”が付される。
【００２６】
また、光ファイバの素線数が１２０又は１６０心の支線用光ケーブルにおいては、スロット数が１０ヶのスロットロッドが用いられるが、この場合において、素線数が１２０心の光ケーブルの場合であれば、図２（ｃ）に示されるように、第１スロットに対応する心線番号表示部には心線の通し番号である“１〜２０”が付され、第２スロットに対応する心線番号表示部には“２１〜４０”が付され、第３スロットに対応する心線番号表示部には“４１〜６０”が付され、第４スロットに対応する心線番号表示部には“６１〜８０”が付され、第５スロットに対応する心線番号表示部には“８１〜１００”が付され、第６スロットに対応する心線番号表示部には“１０１〜１２０”が付される。
【００２７】
また、素線数が１６０心の光ケーブルの場合であれば、図２（ｄ）に示されるように、第１スロットに対応する心線番号表示部に心線の通し番号である“１〜２０”が付され、第２スロットに対応する心線番号表示部に“２１〜４０”が付され、第３スロットに対応する心線番号表示部に“４１〜６０”が付され、第４スロットに対応する心線番号表示部に“６１〜８０”が付され、第５スロットに対応する心線番号表示部に“８１〜１００”が付され、第６スロットに対応する心線番号表示部に“１０１〜１２０”が付され、第７スロットに対応する心線番号表示部に“１２１〜１４０”が付され、第８スロットに対応する心線番号表示部に“１４１〜１６０”が付される。
尚、心線番号が付されていない表示部は、順次通し番号を付しておいてもいいが、この例では、番号を付さないダミーとして用いられている。
【００２８】
上述した長尺薄部材は、可撓性の薄膜状に形成されたシール材で構成されており、心線番号表示部以外の部分を透明部材で構成し、１番スロットに対応する心線番号表示部の両脇に、スロットロッドのリブに表記された線状トレーサマーク１０ａ，１０ｂと同様の線状トレーサマーク１３ａ，１３ｂが印刷表記されている。すなわち、１番スロットに対応する心線番号表示部の片側（長尺薄部材の先端部）には、１本の線状トレーサマーク１３ａが付され、他方の側（２番スロットに対応する心線番号表示部との間）には、２本の線状トレーサマーク１３ｂが付されている。
【００２９】
以上の構成において、光ケーブルの接続および分岐を行う場合には、ケーブルの外被８と押え巻７とを除去し、スロットロッド３のリブ５に付された線状の線状トレーサマーク１０ａ，１０ｂを基準にスロット位置を識別し、光ファイバを特定する作業を行うが、この作業を行うにあたり、ケーブルの外被８と押え巻７とを除去した後に、図３に示されるように、心線番号表示部１２が付された長尺薄部材１１を、スロットロッド３の外周に側方から近付け、１本の線状トレーサマーク１０ａが付されたリブ５ａに長尺薄部材１１の１本の線状トレーサマーク１３ａを重ね合わせると共に、２本の線状トレーサマーク１０ｂが付されたリブ５ｂに長尺薄部材１１の２本の線状トレーサマーク１３ｂを重ね合わせ、長尺薄部材１１をスロットロッド３の外周に沿わせて各心線番号表示部１２がスロット４と重なるように巻設する。
【００３０】
すると、長尺薄部材１１の各心線番号表示部１２は、それぞれの対応するスロット４に重ね合わせられ、その状態でスロットロッド３の外周に貼り付けられる。すなわち、それぞれのスロットとこれに対応する心線番号表示部とは、スロットロッドの周方向で物理的に同じ位置に配される。
【００３１】
したがって、上述の構成によれば、光ケーブル２のスロット４や心線を特定しようとする作業者は、この心線番号表示部１２に表示された心線番号から該当する心線番号表示部１２を特定すれば、その心線番号表示部を重ね付けたスロットが特定したいスロットとなるので、スロットの特定を誤ることがなくなる。
【００３２】
また、上述の構成においては、長尺薄部材１１が透明の素材で構成され、スロットロッド３のリブ５に表記された線状トレーサマーク１０ａ，１０ｂと同様の線状トレーサマーク１３ａ，１３ｂが１番スロットに対応する心線番号表示部の両脇に表記されているので、長尺薄部材１１をスロットロッド３へ取り付ける際に、長尺薄部材１１を透かして見えるスロットロッド３の線状トレーサマーク１０ａ，１０ｂと長尺薄部材に表記された線状トレーサマークとを一致させることで、心線番号表示部１２とこれに対応するスロット４とを間違いなく重ね合わせることが可能となる。
【００３３】
尚、上述の構成においては、それぞれの種類の光ケーブル毎に心線番号表示部１２を配列表記した長尺薄部材１１を用意しておく例を示したが、多種類の光ケーブルに対応できるようにするために、図４に示されるように、長尺薄部材１１を幾分巾広に形成し、巻設方向（長手方向）に沿って設けられた中央の切れ目１５を境にその両側において異なるピッチの心線番号表示部１２ａ，１２ｂを配列表記するようにし、いずれかの側の心線番号表示部１２ａ，１２ｂを用いてスロット４を特定するようにしてもよい。
この際、長尺薄部材１１の中央に設けられた切れ目を境として、光ケーブル２に合わせて必要となる側を切り取って使用するようにしてもよい。
【００３４】
また、図５に示されるように、長尺薄部材１１に配列表記される心線番号表示部１２を長尺薄部材１１の両面に形成し、それぞれの面で心線番号表示部１２の傾斜方向を逆にするようにしてもよい。このような構成においては、特に、スロット４がＳＺ撚りスロットである場合に、識別表示具１を巻設する箇所によっては螺旋方向が逆となるので、識別表示具１の取り付け箇所に応じて、長尺薄部材１１の表裏を反転させ、心線番号表示部がスロット４と平行になる側を表にして用いるようにすればよい。
【００３５】
さらに、巻設された長尺薄部材１１がスロットロッド３の周方向でずれないようにするために、図６に示されるように、長尺薄部材１１のスロットロッド３に宛がう面に、スロット間に挿入可能な突起２０を設けるようにしてもよい。この例においては、各スロットに収容される積層された光ファイバテープ心線６の両側でリブ５との間の隙間に突起２０を挿入して位置ずれを防ぐようにしている。
【００３６】
さらにまた、上述の構成においては、心線番号表示部１２が配列表記された長尺薄部材１１をスロットロッド３の外周面に貼着する構成を示したが、図７に示されるように、自身を収容する収容ケース２１に対して出し入れ自在な伸縮式とし、先端部にスロット間に挿入されてリブ５や光ファイバテープ心線６に係止可能なフック部２２を有して構成し、このフック部２２をリブ５に係止して巻設することで、長尺薄部材１１の表面に配列表記された心線番号表示部１２を対応するスロット４に重ね合わせるようにしてもよい。
このような構成によれば、長尺薄部材１１が収容された収容ケース２１を持ち運ぶことで、必要に応じて長尺薄部材１１を収容ケース２１から引き出してスロットロッド３に巻設すればいいので、利用回数に制限されることなく使用することが可能となる。
なお、以上の各種態様は、互いに組み合わせて用いるようにしてもよい。
【図面の簡単な説明】
【００３７】
【図１】図１は、本発明に係る光ケーブル用識別表示具を光ケーブルのスロットロッドに付設した状態を示す図であり、（ａ）はその斜視図、（ｂ）は軸方向から見た正面図である。
【図２】図２は、本発明に係る光ケーブル用識別表示具の例を示す図である。
【図３】本発明に係る光ケーブル用識別表示具を光ケーブルのスロットロッドに付設する直前の状態を示す図であり、（ａ）はその斜視図、（ｂ）は軸方向から見た正面図である。
【図４】図４は、本発明に係る光ケーブル用識別表示具の他の例を示す図である。
【図５】図５は、本発明に係る光ケーブル用識別表示具のさらに他の例を示す図である。
【図６】図６は、本発明に係る光ケーブル用識別表示具のさらに他の例を示す図であり、（ａ）はその単品図、（ｂ）は光ケーブルに巻設される状態を示す図である。
【図７】図７は、本発明に係る光ケーブル用識別表示具のさらに他の構成例を示す図であり、（ａ）はその単品図、（ｂ）は光ケーブルに巻設される状態を示す図である。
【図８】図８は、従来の光ケーブルの例を示す斜視図である。
【符号の説明】
【００３８】
１  識別表示具
２  光ケーブル
３  スロットロッド
４  スロット
５  リブ
１０ａ，１０ｂ  線状トレーサマーク
１１  長尺薄部材
１２  心線番号表示部
１３ａ，１３ｂ  線状トレーサマーク
１５  切れ目
２０  突起
２１  収容ケース
２２  フック部
【図１】
2010014953.tif 000003
【図２】
2010014953.tif 000004
【図３】
2010014953.tif 000005
【図４】
2010014953.tif 000006
【図５】
2010014953.tif 000007
【図６】
2010014953.tif 000008
【図７】
2010014953.tif 000009
【図８】
2010014953.tif 000010